(57)【特許請求の範囲】
【請求項１】
竿体にリールを脱着自在に装着するためのリールシートであって、
前記竿体の周面に固定され、前記リールの脚部が載置される載置部、前記リール脚部の一端を覆うようにして係止可能な固定フード部分及び軸方向において前記固定フード部分の反対側の周面に形成された雄ねじ部を有する本体部と、
前記固定フード部分に対向して前記本体部上を軸方向に移動可能に配置され、前記リールの脚部の他端を覆うようにして係止可能な移動フード部と、
前記移動フード部に隣接して連結して配置され前記雄ねじ部に螺合しているナット部とを備え、
前記ナット部は、
前記本体部外周にパイプ状に形成され、周方向に間隔を隔てて複数形成された第１ボール孔を有する第１体と、
前記第１体の外周に前記第１体の軸方向長さより短いパイプ状に形成され、前記第１ボール孔と周方向において合致するように間隔を隔てて複数形成された第２ボール孔を有し、前記第１体に対する周方向への相対回転が規制され、かつ、軸方向への相対移動が可能に配置されている第２体と、
前記第１体の軸方向全体を覆うパイプ状に形成され、周面の一部に開口を有し、前記第２体を内部に収納した状態で、前記第１体に固定されている外表部と、
前記第１体の厚さより大きい直径を有し、前記第１ボール孔に収納されているボールと、
前記開口に、軸方向に移動自在に配置され、前記第２体に固定されて前記第２体を軸方向に移動させるためのスライドスイッチとを有し、
前記スライドスイッチは、前記第２体を移動させたとき、前記第１ボール孔と前記第２ボール孔とが、軸方向に合致する位置と合致しない位置とに設定させるものであり、
前記第１ボール孔と前記第２ボール孔とが前記合致する位置に設定されたとき、前記ボールが前記第１体の径外方向側に移動して前記雄ねじ部と前記ナット部との螺合が解除され、前記第１ボール孔と前記第２ボール孔とが前記合致しない位置に設定されたとき、前記ボールの一部が前記第１体の径内方向側に突出して前記雄ねじ部と前記ボールとが螺合するようにした
ことを特徴とするリールシート。
【請求項２】
前記本体部の雄ねじ部のねじ溝は、軸方向断面において丸溝であることを特徴とする請求項１に記載のリールシート。
【発明の詳細な説明】
【０００１】
【発明の属する技術分野】
本発明は、釣竿の竿体外周面に設けられリールを脱着自在に装着可能なリールシート、特に、ナット部を有しこれを本体部に螺合することでリールをリールシートに取り付けるナット式リールシートに関する。
【０００２】
【従来の技術】
釣竿には、スピニングリール，両軸受けリール等の釣り用リールを取り付けるためのリールシートが設けられている。従来のリールシートの中で、例えば、「ナット式」と呼ばれるものは、釣用リールの脚部の一端を覆いながら係止する固定フードと雄ネジ部とを有する本体部と、移動フード部と、ナット部とを有している。この移動フード部はリールの脚部の他端を覆いながら係止する部分であり、シート本体に対して雄ねじ部上を軸方向に移動可能である。ナット部は雄ネジ部に螺合して移動フード部を移動させる。
【０００３】
このようなリールシートでは、リールの脚部の一端を本体部の固定フードに係止した状態でナット部を回転させて、移動フード部を固定フードに接近させて、移動フード部でリールの脚部の他端を係止してリールの脚部を挟持してリールを釣竿に固定する。
【０００４】
【発明が解決しようとする課題】
このようなナット式リールシートは、移動フード部がリール脚部に接触した状態からナットをさらにねじ込んでリールの脚部を十分に係止させることができるものであり、リールシートを安定した状態で固定し得るものである。しかし、一方で、移動フード部がリール脚部に接触する位置までナット部をずっと回転させて移動フード部を軸方向に移動させる必要があり、ワンタッチの操作という訳にはいかない。
【０００５】
そこで、ナット式リールシートの利点を活かしつつワンタッチで操作を為しえるような操作性に優れるリールシートが求められてきた。
本発明の課題は、操作性に優れたナット式のリールシートを提供することにある。
【０００６】
【課題を解決するための手段】
発明１のリールシートは、竿体にリールを脱着自在に装着するためのリールシートであって、竿体の周面に固定され、リールの脚部が載置される載置部、リール脚部の一端を覆うようにして係止可能な固定フード部分及び軸方向において固定フード部分の反対側の周面に形成された雄ねじ部を有する本体部と、固定フード部分に対向して本体部上を軸方向に移動可能に配置され、リールの脚部の他端を覆うようにして係止可能な移動フード部と、移動フード部に隣接して連結して配置され雄ねじ部に螺合しているナット部とを備え、ナット部は、本体部外周にパイプ状に形成され、周方向に間隔を隔てて複数形成された第１ボール孔を有する第１体と、第１体の外周に第１体の軸方向長さより短いパイプ状に形成され、第１ボール孔と周方向において合致するように間隔を隔てて複数形成された第２ボール孔を有し、第１体に対する周方向への相対回転が規制され、かつ、軸方向への相対移動が可能に配置されている第２体と、第１体の軸方向全体を覆うパイプ状に形成され、周面の一部に開口を有し、第２体を内部に収納した状態で、第１体に固定されている外表部と、第１体の厚さより大きい直径を有し、第１ボール孔に収納されているボールと、開口に、軸方向に移動自在に配置され、第２体に固定されて第２体を軸方向に移動させるためのスライドスイッチとを有し、スライドスイッチは、第２体を移動させたとき、第１ボール孔と第２ボール孔とが、軸方向に合致する位置と合致しない位置とに設定させるものであり、第１ボール孔と第２ボール孔とが合致する位置に設定されたとき、ボールが第１体の径外方向側に移動して雄ねじ部とナット部との螺合が解除され、第１ボール孔と第２ボール孔とが合致しない位置に設定されたとき、ボールの一部が第１体の径内方向側に突出して雄ねじ部とボールとが螺合するようにしたことを特徴とする。
【０００７】
そして、ナット部は、ナット本体部と、雄ねじ部のねじ溝に噛合するねじ突起と、前記ねじ突起のねじ溝に対する噛合を任意に解除可能な解除手段とを有している。
【０００８】
このリールシートでは、リールの脚部の一端を固定フード部分に係止させながらリールの脚部を載置部分に配置する。そして、ナット部を回転させて本体部上を軸方向に移動させることにより移動フード部を移動させ、移動フード部でリールの脚部の他端を係止する。そして、固定フード部分と移動フード部とでリールの脚部を挟み込んで固定する。
【０００９】
このナット部を当初軸方向に移動させる場合には、ナット部の解除手段によってねじ突起のねじ溝に対する噛合を解除して、ナット部及び移動フード部を本体部上において軸方向にスライド移動可能とし、素早くナット部及び移動フード部をリールの脚部の他端までスライド移動させる。その後、解除手段を解除して再びねじ突起をねじ溝に噛合させ、ナットをねじ込むことで、リールをしっかりとリールシートに装着する。
【００１０】
発明２のリールシートは、発明１のリールシートであって、本体部の雄ねじ部のねじ溝は丸溝であることを特徴とする。
【００１１】
このリールシートでは、通常、第１ボール孔内のボールが本体部のねじ溝である丸溝に噛み合って、ナット部が本体部に螺合している。この状態では、ナット部は周方向に回転させることで本体部上を軸方向に移動する。一方、第２体を軸方向にスライドさせて第１体に対して軸方向に相対的に移動させると、第１体の第１ボール孔と第２体の第２ボール孔とが合致し、ボールが径外方向に逃げる空間が形成される。また、第２体を軸方向にスライドさせた際の力で丸溝内のボールはねじ溝（丸溝）の曲面に沿って径外方向に持ち上がりねじ溝を軸方向に乗り越える。このようにして、ナット部の本体部に対する螺合が解除され、ナット部は軸方向にスライド移動可能となる。
【００１３】
このリールシートは、通常、付勢バネによって第１ボール孔と第２ボール孔とは軸方向に変位しており、ボールは第１ボール孔内に留まり本体部のねじ溝と螺合している。そして、付勢バネに反して第２体を軸方向にスライド移動させるべく力を加えると、第１体の第１ボール孔と第２体の第２ボール孔とが合致し、ボールが径外方向に逃げる空間が形成される。また、第２体への加力を解除すれば、付勢バネによって再び第１ボール孔と第２ボール孔とは軸方向に変位し、ボールは第１ボール孔内で本体部のねじ溝と螺合する。
【００１４】
【発明の実施の形態】
［第１実施形態］
以下、本発明の第１実施形態について、図面を参照しつつ説明する。
【００１５】
本発明の第１実施形態を採用したリールシートは、図１及び図２に示すように、釣用リールの脚部１００を係止して釣竿に脱着自在に装着するためのものである。このリールシートは、釣竿の竿体２００の外周面に固定される本体部１と、本体部１の穂先側周面に周方向に移動不能且つ軸方向に移動可能に配置された移動フード部２と、移動フード部２の穂先側に隣接して移動フード部２に連結され周方向に回転自在に配置されるナット部３とを有している。
【００１６】
本体部１は、内部に釣竿の竿体２００が貫通した状態で竿体２００の周面に装着される合成樹脂又は金属製の変形筒状部材である。穂先側部分がやや小径化した小径部分であり、竿元側が比較的大径の大径部分である。穂先側の小径部分の外周面にはねじ溝５が形成されており、この穂先側部分が雄ねじ部となっている。ねじ溝５は軸方向断面において丸くなだらかに形成される丸溝である。一方、竿元側の大径部分にはリール脚部１００を載置可能に平面化された載置部６が軸方向に伸びて形成されている。載置部６の竿元側端部には穂先側に開口した固定フード部分７が形成される。また、載置部６と周方向反対側には径外方向に突出するトリガー８が形成されている。
【００１７】
移動フード部２は本体部１の穂先側の小径部分上に配置される短筒型の部材である。例えば、金属又は合成樹脂などから構成され、周方向の一部、即ち、載置部６上に相当する部分が竿元側にフード状に開口している。例えば、本体部１の小径部分には軸方向に伸びるレール溝が形成されており、移動フード部２は、図４に示すように、このレール溝に係止する突起２ａを有し、周方向への回動が規制されつつ軸方向へ移動自在となっている。また、穂先側端面に連結フランジを有しており、これを介してナット部３に連結される。
【００１８】
ナット部３は、本体部１の穂先側周面上に配置されるパイプ状の第１体１０と、第１体１０の外周に配置される第２体１１と、第２体１１の外周に配置される外表部１２と、第１体１０の外周であって第２体１１の竿元側に配置されているコイルバネ１４とを有している。
【００１９】
第１体１０は、図３及び図５にも詳しく示すように、例えば合成樹脂などで構成されるパイプ状部材である。竿元側端部が一部外周側に張り出してフック部分となっており、このフック部分が移動フード部２の連結フランジと連結されている。一方、穂先側部分においては、周方向に間隔を隔てて複数の第１ボール孔１０ａ群が形成されており、この第１ボール孔１０ａには金属又は合成樹脂製のボール１３がそれぞれ収納されている。さらに、穂先側端部外周面にはストッパーリング２０がはめ込まれている。第１ボール孔１０ａは径方向に貫通している貫通孔である。第１体１０の厚みはボール１３の直径よりやや小さく、第１ボール孔１０ａに収納されるボール１３は径内方向に一部突出することになり、本体部１のねじ溝５に噛み合うことになる。また、第１体１０の外周面には径外方向に突出する複数の係止突起１０ｂが形成されている。
【００２０】
第２体１１は、第１体１０の軸方向長さより短いパイプ状部材であって、第１体１０の外周面の穂先側部分に配置される。また、第１体１０の外周面の竿元側部分であって、第２体１１の竿元側と第１体１０のフック部分との間の隙間部分にはコイルバネ１４が配置される。この第２体１１には周方向に間隔を隔てて複数の第２ボール孔１１ａ群が形成されている。第２ボール孔１１ａは第１ボール孔１０ａと同様に径方向に貫通している貫通孔である。そして、第１ボール孔１０ａと周方向において合致する位置であって軸方向に変位した位置にこの第２ボール孔１１ａが位置するように、第１体１０と第２体１１とが配置される。詳しく説明すると、第２体１１の内周面には係止溝１１ｂが形成されており、これが第１体１０の係止突起１０ｂと組み合わされることで相互の周方向位置が決められ相互の周方向への相対回転は規制されつつ全体として周方向回転し、また、軸方向への相対移動が可能となっている。一方、相互の軸方向位置は、コイルバネ１４が第２体１１を穂先側に付勢しており、第１体１０の穂先側外周面に固定されたストッパーリング２０によって、第１体１０と第２体１１との軸方向位置が決められている。
【００２１】
外表部１２はおよそ第１体１０の軸方向全体を覆う程度の軸方向長さを有する略パイプ状の部材である。第１体１０の外周面に配置される第２体１１及びコイルバネ１４を共に内部に収納した状態で、これらを覆うように第２体１１に固定される。
【００２２】
このリールシートでは、図２に示すように、リールの脚部１００を本体部１の載置部６に載せ、脚部１００の竿元側の一端を固定フード部分７に差し込んで係止させる。そして、ナット部３を竿元側に移動させることにより移動フード部２を移動させ、移動フード部２でリールの脚部１００の穂先側を係止する。そして、固定フード部分７と移動フード部２とでリールの脚部１００を挟み込んで固定する。詳しくは、以下のような方法で、簡単にリールをリールシートに取り付けることが可能となる。
【００２３】
図５に示すように、このナット部３では、通常、第１体１０の第１ボール孔１０ａ内のボール１３が本体部１のねじ溝５に噛み合って、ナット部３が本体部１に螺合している。この状態では、ナット部３は周方向に回転させることで本体部１上を軸方向に移動する。
【００２４】
一方、第２体１１及びこれに固定されている外表部１２をコイルバネ１４の付勢力に反して竿元側にスライドさせて第２体１１を第１体１０に対して軸方向に相対的に移動させると、第１体１０の第１ボール孔１０ａと第２体１１の第２ボール孔１１ａとが合致し、ボール１３が径外方向に逃げる空間が形成される。また、第２体１１を軸方向にスライドさせた際の力でねじ溝５内のボール１３はねじ溝５（丸溝）の曲面に沿って径外方向に持ち上がりねじ溝５を軸方向に乗り越える。このようにして、ナット部３の本体部１に対する螺合が解除され、ナット部３は軸方向にスライド移動可能となる。
【００２５】
その後、竿元側への外表部１２などへの力を解除すると、コイルバネ１４によって、第１体１０と第２体１１との相対的な軸方向位置は元の位置に戻され、再び、第１体１０の第１ボール孔１０ａ内のボール１３が本体部１のねじ溝５に噛み合って、ナット部３が本体部１に螺合する。
【００２６】
そこで、ナット部３を竿元側に移動させる際には、まず、外表部１２及び第２体１１を竿元側にスライドさせて、ナット部３及び移動フード部２をおよそリールの脚部１００に当たるまでスライドさせ、その後、ナット部３の本体部１へ再び螺合させナット部３を回転させて移動フード部２をしっかりとリール脚部１００に係止させることになる。
【００２７】
［第２実施形態］
図６に示すように、本発明の第２実施形態を採用したリールシートのナット部３は、本体部１の穂先側周面上に配置されるパイプ状の第１体１０と、第１体１０の外周に配置される第２体１１と、第２体１１の外周に配置される外表部１２とを有している。
【００２８】
第１体１０は、第１実施形態と同様の構造であり、周方向に間隔を隔てて複数の第１ボール孔１０ａ群が形成され、この第１ボール孔１０ａには金属又は合成樹脂製のボール１３がそれぞれ収納されている。また、第２体１１も、第１実施形態と同様に、第１体１０の外周面の穂先側部分に配置される。この第２体１１には周方向に間隔を隔てて複数の第２ボール孔１１ａ群が形成されており、第１ボール孔１０ａと周方向において合致する位置にこの第２ボール孔１１ａが位置するように、第１体１０と第２体１１とが周方向において位置決めされる。
【００２９】
一方、外表部１２はおよそ第１体１０の軸方向全体を覆う程度の軸方向長さを有する略パイプ状の部材であり、周面の一部に開口を有し、第２体１１を内部に収納した状態で、第１体１０に固定されている。そして、開口にはスライドスイッチ３０が軸方向に移動自在に配置され、これが第２体１１と連結され固定されている。そして、スライドスイッチ３０を開口で軸方向に移動させることで、第２体１１は第１体１０に対して相対的に軸方向に移動し、第１ボール孔１０ａと第２ボール孔１１ａとが軸方向に於いて合致し又は変位する。
【００３０】
なお、その他の構成は第１実施形態と同様である。
このリールシートでは、以下のような方法で、簡単にリールをリールシートに取り付けることが可能となる。
【００３１】
即ち、通常、スライドスイッチ３０は、第１体１０の第１ボール孔１０ａと第２体１１の第２ボール孔１１ａとが軸方向に於いて変位する位置に設定させる。
この状態では、ボール１４は第１ボール孔１０ａ内に留まり、ねじ溝５にナット部３が螺合している。一方、スライドスイッチ３０を移動させて、第１体１０の第１ボール孔１０ａと第２体１１の第２ボール孔１１ａとが軸方向に於いて合致する位置に設定されると、ボール１４の径外方向への逃げが確保され、ナット部３の本体部１への螺合が解除されることになる。よって、ナット部３は軸方向にスライド移動可能となる。
【００３２】
そこで、ナット部３を竿元側に移動させる際には、まず、ナット部３の本体部１への螺合を解除してナット部３及び移動フード２部をおよそリールの脚部１００に当たるまでスライドさせ、その後、ナット部３の本体部１へ再び螺合させナット部３を回転させて移動フード部２をしっかりとリール脚部１００に係止させることが可能となる。
【００３３】
［他の実施形態］
（ａ）上記実施形態においては、穂先側にナット部を配置したものを例示しているが、固定フード部分、移動フード部の軸方向位置は変更可能であり、竿元側にナット部及び移動フード部を配置することも当然に可能である。
（ｂ）解除手段は、上記実施形態に限定されるものではなく、ナット部の螺合を解除するための周知の技術を用いることが可能である。
【００３４】
【発明の効果】
本発明に係るリールシートによれば、容易にリールをリールシートに取り付けることが可能である。
【図面の簡単な説明】
【図１】本発明の第１実施形態を採用したリールシートの全体図。
【図２】図１のリールシート付近の断面図。
【図３】図２のIII-III断面図。
【図４】図２のIV-IV断面図。
【図５】図１のリールシートの拡大断面図。
【図６】本発明の第２実施形態を採用したリールシートの拡大断面図。
【符号の説明】
１  本体部
２  移動フード部
３  ナット部
５  ねじ溝
１０  第１体
１１  第２体
１２  外表部
１３  ボール
１４  コイルバネ
【図１】
0004596507.tif 000002
【図２】
0004596507.tif 000003
【図３】
0004596507.tif 000004
【図４】
0004596507.tif 000005
【図５】
0004596507.tif 000006
【図６】
0004596507.tif 000007